(57)【要約】【課題】収納スペースが大きく且つ収納スペースを有効に利用することができるリビングの物品収納室を提供する。【解決手段】リビング１の４床全体を床上げして床下全体に物品収納室３が形成され、物品収納室３に人及び物品が出入り可能な出入口６が設けられているリビングの物品収納室。リビング１の床に物品収納室に通じる、開閉蓋付きの開口７を設けてもよいし、物品収納室３に照明器具、コンセント１０、面格子付の窓９あるいは換気扇８を設けてもよい。【選択図】図１
0003110707.tif 000002
【実用新案登録請求の範囲】
【請求項１】
リビングの床全体を床上げして床下全体に物品収納室が形成され、物品収納室に人及び物品が出入り可能な出入口が設けられていることを特徴とするリビングの物品収納室。
【請求項２】
リビングの床に物品収納室に通じる、開閉蓋付きの開口が形成されていることを特徴とする請求項１記載のリビングの物品収納室。
【請求項３】
物品収納室に照明器具が設けられていることを特徴とする請求項１又は２記載のリビングの物品収納室。
【請求項４】
物品収納室にコンセントが設けられていることを特徴とする請求項１〜３のいずれか１項に記載のリビングの物品収納室。
【請求項５】
物品収納室に面格子付の窓が設けられていることを特徴とする請求項１〜４のいずれか１項にリビングの物品収納室。
【請求項６】
物品収納室に換気扇が設けられていることを特徴とする請求項１〜５のいずれか１項にリビングの物品収納室。
【考案の詳細な説明】
【技術分野】
【０００１】
本考案は、リビングの床上げにより床下に物品を収納する収納スペースを形成したリビングの物品収納室に関する。
【背景技術】
【０００２】
物品の収納庫をキッチンやリビングの床下に設け、床に設けた蓋を開閉して物品を出し入れすることが知られている（特許文献１参照）。また、天井裏の小屋裏部分に収納空間を設け、収納空間へ階段で昇り降りして物品を出し入れすることが知られている（特許文献２参照）。
【０００３】
図２はリビングに収納庫を設けた従来例を示す斜視図である。
【０００４】
図２において、リビング１の床下の地下を掘って半地下床１６を設けて収納庫１５が形成され、床４に設けられた開口７に開閉自在の蓋１７を設け、開口７から物品を出し入れする。
【０００５】
天井側にはロフト１１が形成され、ロフト１１へはハシゴや踏み台を利用して物品を持ち上げて出し入れする。なお、２はキッチン、１２はエアコン、５は仕切り壁、１３はバルコニー手摺である。
【特許文献１】特開平７−３０５４９１号公報
【特許文献２】特開２００４−４４１２６号公報
【考案の開示】
【考案が解決しようとする課題】
【０００６】
半地下式で収納庫を形成する場合、地下を掘ったり、周壁を形成したりするために、施工に手間がかかるという問題がある。また、収納庫の容積が小さいので、物品の収納量が限られ、また大きい物品は収納できないという欠点がある。
【０００７】
また、天井側に形成されたロフトの場合、ハシゴや踏み台を利用して高い位置にあるロフトに不安定な状態で物品を持ち上げて収納する必要があるため、収納作業が転倒などの危険を伴うため、安全性に細心の注意を払わなくてはならず、また、手が届かない部分の空間を有効に利用できないという欠点があった。
【０００８】
このように、従来の収納庫やロフトは、収納量に限りがあり、また、利便性に欠けるという欠点があった。
【０００９】
そこで、本考案は、収納スペースが大きく且つ収納スペースを有効に利用することができるリビングの物品収納室を提供するものである。
【課題を解決するための手段】
【００１０】
本考案のリビングの物品収納室は、リビングの床全体を床上げして床下全体に物品収納室が形成され、物品収納室に人及び物品が出入り可能な出入口が設けられていることを特徴とする。
【００１１】
前記構成において、リビングの床に物品収納室に通じる、開閉蓋付きの開口を設けてもよい。また、物品収納室には、照明器具、コンセント、面格子付の窓あるいは換気扇を適宜設けてもよい。
【考案の効果】
【００１２】
本考案は、リビングの床全体を床上げして床下全体が物品収納室となるので、収納スペースが大きく且つ収納スペースを有効に利用することができる。
【００１３】
また、ロフトを有するリビングでは、床上げによりリビングの高さが低くなるので、ロフトが使いやすくなる。また、床上げによりリビングの容積が減少するので、エアコンが効きやすくなる。
【考案を実施するための最良の形態】
【００１４】
図１（ａ）本考案の物品収納室を備えたリビングの一例について、一部を断面で示す斜視図、（ｂ）はリビングに物品収納室を備えた建物の縦断面図である。
【００１５】
本実施例では、リビング１がキッチン２の隣に配置された間取りとなっている。物品収納室３はリビング２の床４を床上げして床下全体に形成する。物品収納室３は人が屈んで動くことができる程度の高さ、例えば、１．２ｍ程度にする。高さが約１．２ｍあれば、物品収納室内で人が屈んで無理なく物品の出し入れ作業を容易に行うことができる。
【００１６】
本考案では、リビング１の床４を人が屈んで動くことができる程度の高さに床上げして物品収納室３を形成することにより、物品収納室３の収納スペースが従来の床下収納庫に比べて格段に広くなり、多くの物品の収納が可能となり、また大きな物品の収納も可能となる。
【００１７】
リビング１とキッチン２の仕切り壁５には物品収納室３に人が出入りし且つ物品を出し入れできる程度の面積を有する出入口６を設ける。さらに、補助的に床４に開口７を設けて、例えば、使用頻度の高い小さな物品を出入口６まで運ぶことなくリビングから物品収納室で出し入れできるようにしてもよい。
【００１８】
物品収納室３の床面は防水シート加工するとともに、すのこを全面に敷き詰め、さらに換気扇８を設置して湿気対策を講じる。この湿気対策により、物品収納室３がカビ臭くなるのを防止することができる。
【００１９】
また、照明器具（図示せず）や面格子付の窓９を設置することより、物品収納室３を明るくすることができるので、収納作業がし易くなる。また、コンセント１０を設けることにより、掃除機などの電化製品の使用が可能となる。
【００２０】
リビング１は１．２ｍ程度の床上げによっても２．３ｍ程度あるので、生活空間として特に不便になることはない。床上げによりロフト１１の高さが低くなるので、ロフト１１への物品の収納作業の安全性が増す。また、床上げによりリビング１の容積が減少するので、エアコン１２が効きやすくなる。また、床上げにより一階バルコニー手摺１３は高さが約２．５ｍ程度となり、防犯性が高くなる。
【００２１】
リビング１とキッチン２は、例えば、手すり付きの低い階段１４、例えば５段階段により通じるようにする。
【図面の簡単な説明】
【００２２】
【図１】（ａ）本考案の物品収納室を備えたリビングの一例について、一部を断面で示す斜視図、（ｂ）はリビングに物品収納室を備えた建物の縦断面図である。
【図２】リビングに収納庫を設けた従来例を示す斜視図である。
【符号の説明】
【００２３】
１：リビング
２：キッチン
３：物品収納室
４：床
５：仕切り壁
６：出入口
７：開口
８：換気扇
９：窓
１０：コンセント
１１：ロフト
１２：エアコン
１３：バルコニー手摺
１４：階段
１５：収納庫
１６：半地下床
【図１】
0003110707.tif 000003
【図２】
0003110707.tif 000004